(57)【要約】      （修正有）【課題】蛍光灯ボックスに収納され、操作性や取付け性などに優れ、かつ、多目的に利用可能な収納棚を提供する。【解決手段】収納棚１は、対向して取り付けられる一対の基部２と、下側棚６０及び回動する上側棚６２と、対向する一対の上アーム３と、対向する一対の下アーム４と、係止手段としてのストッパーラッチ用アーム５を備え、上アーム３及び下アーム４が所定の下方位置まで回動すると、上側棚６２が開方向に回動され、さらに、上側棚６２が重ねられた状態で、上アーム３及び下アーム４が前記所定の上方位置まで回動される構成としてある。【選択図】図２
2008206535.tif 000002
【特許請求の範囲】
【請求項１】
被取付け体に対向して取り付けられる一対の基部と、
拡幅可能な棚と、
一端が前記基部に回動自在に連結され、他端が前記棚に回動自在に連結された、対向する一対の第一のアームと、
一端が前記基部に回動自在に連結され、他端が前記棚に回動自在に連結された、対向する一対の第二のアームと、
前記棚、第一のアーム及び第二のアームを所定の上方位置に留めるための係止手段と
を備え、
前記基部、第一のアーム、第二のアーム及び棚が、一対の対向するリンク機構を構成し、前記第一のアーム、第二のアーム及び棚が前記所定の上方位置まで回動されると、前記基部と前記棚との間に下方が開放された空きスペースが形成されることを特徴とする収納棚。
【請求項２】
前記棚が、重ねられた状態から開方向に回動される回動棚を有し、前記第一のアーム及び第二のアームが所定の下方位置まで回動すると、前記回動棚が開方向に回動され、さらに、前記回動棚が重ねられた状態で、前記第一のアーム、第二のアーム及び棚が前記所定の上方位置まで回動されることを特徴とする請求項１に記載の収納棚。
【請求項３】
前記被取付け体が、蛍光灯ボックスであり、前記空きスペースに蛍光灯が位置することを特徴とする請求項１又は２に記載の収納棚。
【請求項４】
前記係止手段として、ストッパーラッチ用アームを設け、該ストッパーラッチ用アームが、前記所定の上方位置において、前記基部と前記第一のアームを連結する回動軸に係止し、前記回動軸に対する前記第二のアームの距離を規定するストッパーラッチを有し、さらに、前記基部の方向に付勢された状態で、かつ、前記第二のアームの長手方向にスライド自在に、前記第二のアームに取り付けられたことを特徴とする請求項１〜３のいずれか一項に記載の収納棚。
【請求項５】
前記ストッパーラッチ用アームが、前記所定の上方位置において、正面側斜め下方に向かって屈曲しているハンドル用屈曲部を有しており、前記一対のハンドル用屈曲部の端部に、ハンドルが取り付けられたことを特徴とする請求項４に記載の収納棚。
【請求項６】
前記所定の上方位置に位置する前記第一のアーム及び第二のアームが、所定の下方位置の方向に回動する際に、この回動速度を減速させる回転ダンパーを備えたことを特徴とする請求項１〜５のいずれか一項に記載の収納棚。
【請求項７】
前記棚として、押出成形されたアルミ板を用いたことを特徴とする請求項１〜６のいずれか一項に記載の収納棚。
【請求項８】
前記基部が、Ｔ字切欠の形成された上板を有し、前記Ｔ字切欠に装入されたねじによって、前記被取付け体にあらかじめ取り付けられた取付けステーに螺着されることを特徴とする請求項１〜７のいずれか一項に記載の収納棚。
【請求項９】
前記棚の少なくとも一部を水切り用棚としたことを特徴とする請求項１〜８のいずれかに記載の収納棚。
【発明の詳細な説明】
【技術分野】
【０００１】
本発明は、収納棚に関し、特に、蛍光灯ボックスに収納され、さらに、操作性や取付け性などに優れ、かつ、多目的に利用可能な収納棚に関する。
【背景技術】
【０００２】
従来、対面型システムキッチン等に設けられた吊戸棚は、吊戸棚の下方のスペースを利用して、利用者の視界を確保しリビングルームと連続した空間を提供することを目的としてある。このため、吊戸棚に取り付けられる棚は、使用しないとき、利用者の目線の邪魔にならないように収容可能な構造であることが要求されてきた。
この要求を満足するために、様々な棚が開発されてきた。
【０００３】
たとえば、特許文献１には、吊戸棚に取り付けられたブラケットと、このブラケットに一端部が回動自在に連結された棚支持枠と、この棚支持枠のもう一端部に回動自在に連結された棚とを備え、棚を棚支持枠に重なる位置まで回動したのち、棚支持枠及び棚を水平の状態となる位置まで回動してコンパクトな折畳み収納状態が得られる棚の技術が開示されている。
【０００４】
また、特許文献２には、図９に示すように、流し台の上方側に位置する吊戸棚１１に一対の取付け基材１０１を取り付け、各取付け基材１０１に、洗浄された洗浄物を水切り状態で載置可能な水切り棚１０４を平行な姿勢で昇降自在に支持する上側昇降リンク１０２及び下側昇降リンク１０３を枢着し、そのうち、少なくとも一つの上側昇降リンク１０２と取付け基材１０１との間には、水切り棚１０４を最下端の水切り位置と最上端の格納位置(収納位置)とに選択的に付勢保持可能な付勢手段(図示せず)を設けた水切り棚装置１００の技術が開示されている。なお、吊戸棚１１は、正面側に扉１１１が設けられている。
【特許文献１】特開２００１−３８２号公報          特開２００５−２８８１５１号公報
【発明の開示】
【発明が解決しようとする課題】
【０００５】
しかしながら、特許文献１に開示された棚は、棚を完全に降ろし切るまで手を添えて、棚を支える必要があった。
また、特許文献２に開示された水切り棚装置１００は、最上端の収納位置が、蛍光灯１２１が収納される蛍光灯収納スペース１２２の下方に、位置している。このため、使用しないとき、利用者の目線の邪魔にならないように収容するといった要望に十分応えることができないといった問題があった。また、水切り棚装置１００を取り付けるために、吊戸棚１１の構造が複雑になってしまったり、蛍光灯１２１の光を遮ってしまい、光量が減少してしまうといった問題があった。さらに、水切り用棚１０４は、透光性を有する金網などの部材に限定されるといった制限があり、使用目的が限定されている。
【０００６】
また、一般的な利用者が収納棚を購入し、利用者自らが収納棚を吊戸棚に取り付ける場合を想定すると、収納棚にとっては、取付け場所が制限されないことや取付け容易性なども要望されている。
また、消費者の購買意欲を刺激するには、収納棚の付加価値を高める必要があり、例えば、利用目的を多目的化するなどの工夫も要望されている。
【０００７】
本発明は、上記諸問題を解決すべく、蛍光灯ボックスに収納され、操作性や取付け性などに優れ、かつ、多目的に利用可能な収納棚の提供を目的とする。
【課題を解決するための手段】
【０００８】
この目的を達成するために、本発明の収納棚は、被取付け体に対向して取り付けられる一対の基部と、拡幅可能な棚と、一端が前記基部に回動自在に連結され、他端が前記棚の所定に回動自在に連結された、対向する一対の第一のアームと、一端が前記基部に回動自在に連結され、他端が前記棚に回動自在に連結された、対向する一対の第二のアームと、前記棚、第一のアーム及び第二のアームを所定の上方位置に留めるための係止手段とを備え、前記基部、第一のアーム、第二のアーム及び棚が、一対の対向するリンク機構を構成し、前記第一のアーム、第二のアーム及び棚が前記所定の上方位置まで回動されると、前記基部と前記棚との間に下方が開放された空きスペースが形成される構成としてある。
このようにすると、下方が開放された空きスペースに、蛍光灯を位置させることができるので、蛍光灯の光を遮るといった不具合を回避できる。すなわち、本発明の棚は、金網などの透光性の部材に限定されるものではなく、たとえば、遮光性の板でもよく、これにより、様々な載置物に対応することができ、多目的に利用することができる。
【０００９】
また、好ましくは、前記棚が、重ねられた状態から開方向に回動される回動棚を有し、前記第一のアーム及び第二のアームが所定の下方位置まで回動すると、前記回動棚が開方向に回動され、さらに、前記回動棚が重ねられた状態で、前記第一のアーム、第二のアーム及び棚が前記所定の上方位置まで回動されるとよい。
このようにすると、棚の一部（回動棚）が折り重ねられた状態で、所定の上方位置(収納位置)に収納されるので、棚と基部との間に大きな空きスペースを確保することができる。この大きな空きスペースを利用して、蛍光灯の位置を避けることができるので、蛍光灯の光を遮るといった不具合をより確実に回避できる。さらに、上記の大きな空きスペースを確保することにより、被取付け体の構造の自由度が増大し、様々な構造の被取付け体に容易に取り付けることができる。
また、所定の下方位置(使用位置)では、少なくとも一つ以上の回動棚を、同一平面及び／又は平行面（段をなす状態）をなすように広げることができるので、広い棚面積を確保することができる。なお、重ねられる回動棚の数は、通常一つであるが、これに限定されるものではなく、たとえば、二つの回動棚を設け、基となる棚との合計三段重ねにしてもよい。また、回動棚の広げ方は、通常、同一平面をなすように広げられるが、これに限定されるものではなく、たとえば、手前側を低くかつ奥側を高くといった階段のような平行面をなすように広げてもよい。
【００１０】
また、好ましくは、前記被取付け体が、蛍光灯ボックスであり、前記空きスペースに蛍光灯が位置するとよい。
このようにすると、吊戸棚などの蛍光灯ボックス内の収納スペースを利用して収納棚を設置することができる。また、吊戸棚が対面型キッチンに設けられている場合、使用後の棚がそのまま放置されるといった不具合を回避でき、対面型キッチンの効果を発揮することができる。
【００１１】
また、好ましくは、前記係止手段として、ストッパーラッチ用アームを設け、該ストッパーラッチ用アームが、前記所定の上方位置において、前記基部と前記第一のアームを連結する回動軸に係止し、前記回動軸に対する前記第二のアームの距離を規定するストッパーラッチを有し、さらに、前記基部の方向に付勢された状態で、かつ、前記第二のアームの長手方向にスライド自在に、前記第二のアームに取り付けられるとよい。
このようにすると、ストッパーラッチ用アームを棚の方向に移動させることにより、係止状態を容易に解除することができる。また、通常、所定の上方位置におけるストッパーラッチ用アームは、ほぼ水平状態にあり、解除する動作がストッパーラッチ用アームを正面方向(利用者側)に引っ張るといった動作となり、誤って押してしまうことにより解除されるといった危険性を低減することができる。さらに、被取付け体に係止手段などを取り付ける必要がないので、取付け性を向上させることができる。
【００１２】
また、好ましくは、前記ストッパーラッチ用アームが、前記所定の上方位置において、正面側斜め下方に向かって屈曲しているハンドル用屈曲部を有しており、前記一対のハンドル用屈曲部の端部に、ハンドルが取り付けられるとよい。
このようにすると、利用者の近くにハンドルを設けることができるので、使い易さを向上させることができる。また、このハンドルを布巾掛けとしても利用することができ、商品の付加価値を向上させることができる。
【００１３】
また、好ましくは、前記所定の上方位置に位置する前記第一のアーム及び第二のアームが、所定の下方位置の方向に回動する際に、この回動速度を減速させる回転ダンパーを備えるとよい。
このようにすると、所定の上方位置における係止状態が解除された際、重力の作用により棚、第一のアーム及び第二のアームが所定の下方位置まで落下するような勢いで回動するといった不具合を回避し、棚を自動的に(重力を利用して)ゆっくり降ろすことができる。これにより、利用者は、棚を支えながら降ろす必要がなくなるので、係止状態を解除するワンタッチ操作で、棚を降ろすことができる。また、回転ダンパーは、所定の下方位置の方向への回動にのみ作用し、所定の上方位置の方向への回動に対しては、負荷を発生させないので、棚などを収納する際に、この回転バンパーによってよけい重くなることはない。
【００１４】
また、好ましくは、前記棚として、押出成形されたアルミ板を用いるとよい。
このようにすると、棚の切断長さを変更するだけで、様々な間口の吊戸棚に対応することができる。
【００１５】
また、好ましくは、前記基部が、Ｔ字切欠の形成された上板を有し、前記Ｔ字切欠に装入されたねじによって、前記被取付け体にあらかじめ取り付けられた取付けステーに螺着されるとよい。
このようにすると、まず、被取付け体に取付けステーを取り付け、取付けステーに途中まで締め込まれたねじに、Ｔ字切欠を利用して基部を係止し(仮止めし)、この状態でねじを締め込むことができる。したがって、重い本体を持ち上げながらねじ締め作業を行なくてもすむので、取付け作業を容易かつ安全に行うことができる。
【００１６】
また、好ましくは、前記棚の少なくとも一部を水切り用棚とするとよい。
このようにすると、少なくとも二つ以上の棚を多目的に利用することができ、商品としての付加価値を向上させることができる。
【発明の効果】
【００１７】
本発明における収納棚によれば、蛍光灯ボックスに収納され、さらに、操作性や取付け性などに優れ、かつ、多目的に利用可能な収納棚を提供することができる。
【発明を実施するための最良の形態】
【００１８】
図１は、本発明の一実施形態にかかる収納棚の使用状態を説明する概略斜視図を示している。
また、図２は、本発明の一実施形態にかかる、使用状態の収納棚の概略斜視図を示している。
また、図３は、本発明の一実施形態にかかる、収納状態の収納棚の概略斜視図を示している。
さらに、図４は、本発明の一実施形態にかかる収納棚の構造を説明するための、要部の概略分解斜視図を示している。
図１，２，３，４において、収納棚１は、吊戸棚１１の下面に設けられた蛍光灯ボックス１２に取り付けられている。なお、吊戸棚１１は、対面型キッチン１３の上方に設けてある。
また、収納棚１は、基部２、上アーム３、下アーム４、ストッパーラッチ用アーム５、下側棚６０、上側棚６２、ハンドル６４、連結棒６５、基部カバー７及び取付けステー８などを備えている。
【００１９】
＜基部＞
基部２は、被取付け体である蛍光灯ボックス１２の蛍光灯収納スペース１２３内に、対向して一対をなすように設けられている。
この基部２は、上アーム３、下アーム４、ストッパーラッチ用アーム５などを収容するための間隔を開けて対向する、ほぼ矩形状の外側側板２１及び内側側板２３と、外側側板２１及び内側側板２３の上端部どうしを連結する上板２２とからなっている。基部２は、金属製であり、プレス成形により一体的に加工される。
【００２０】
内側側板２３は、ほぼ中央部に、上アーム用リベット２５が挿入される上アーム軸支用孔２３４が形成されている。また、上アーム軸支用孔２３４の正面側斜め上方に、ストッパー用リベット２４が挿入されるストッパーリベット用孔２３６が形成されている。また、上アーム軸支用孔２３４の背面側斜め下方に、下アーム用リベット２６が挿入される下アーム軸支用孔２３５が形成されている。さらに、上アーム軸支用孔２３４の正面側斜め下方及び背面側斜め上方に、雌ねじ２３３が形成されており、ねじ２７によって回転ダンパー２８が螺着される。また、下アーム軸支用孔２３５の背面側及び上方にかけて、下アーム軸支用孔２３５を中心とする角度約９０°の円弧状の連結棒用開口部２３２が形成されている。連結棒用開口部２３２には、連結棒６５が挿入され、下アーム４の先端部に連結された連結棒６５は、下アーム４の回動とともに連結棒用開口部２３２内を回動する。さらに、正面側及び背面側の上端部には、基部カバー７の係止部７４が係入されるほぼ正方形の係止孔２３１が形成されている。
【００２１】
外側側板２１は、ストッパー用リベット２４、上アーム用リベット２５及び下アーム用リベット２６が挿入される孔(図示せず)が形成されている。さらに、連結棒用開口部２３２に対応する位置に、連結棒用開口部２３２に挿入された連結棒６５と下アーム４の先端部を連結するためのビス締め用開口部２１１が形成されている。連結棒６５と下アーム４の先端部を連結する二本のビス(図示せず)は、外側側板２１の外側から、ビス締め用開口部２１１を通って下アーム４のビス用孔４１に挿入され、連結棒６５に締め込まれる。
【００２２】
上板２２は、正面側及び背面側の端部に、Ｔ字切欠２２１が同じ向きに形成されている。背面側のＴ字切欠２２１は、Ｔ字の縦線に対応する部分が外部と連通しており、背面側からねじ８５が装入される。また、正面側のＴ字切欠２２１は、Ｔ字の縦線に対応する部分が貫通孔２２２と連通しており、貫通孔２２２からねじ８５が装入される。このねじ８５によって、基部２は、蛍光灯ボックス１２にあらかじめ取り付けられた取付けステー８に螺着される。すなわち、まず、蛍光灯ボックス１２に取付けステー８を取り付け、取付けステー８に途中まで締め込まれたねじ８５に、Ｔ字切欠２２１を利用して基部２を係止し、この状態でねじ８５を締め込むことができる。したがって、重い収納棚１の本体を持ち上げながらねじ締め作業を行わなくてもすむので、取付け作業を容易かつ安全に行うことができる。また、Ｔ字切欠２２１のＴ字の横線に対応する部分を利用して、取付け位置の間口方向への微調整を行うことができる。
【００２３】
上記構成の基部２に、ねじ２７によって回転ダンパー２８が螺着される。この回転ダンパー２８は、所定の下方位置(図２に示す使用状態の位置)の方向への回動にのみ作用し、回動速度を減速させる。また、所定の上方位置(図３に示す収納状態の位置)の方向への回動に対しては、負荷を発生させないので、収納する際に、所定の上方位置の方向へハンドル６４を回動させても、回転バンパー２８によってよけい重くなることはない。
【００２４】
上アーム用リベット２５は、回転ダンパー２８、上アーム軸支用孔２３４、カラー３３、上アーム３の矩形孔３１、及び、外側側板２１の上アーム用リベット２５が挿入される孔(図示せず)に挿入され、外側側板２１から突き出た先端部がかしめられる。この上アーム用リベット２５は、回転ダンパー２８及び上アーム３に係止された状態で挿入されているので、上アーム３が所定の下方位置の方向へ回動する際のトルクが回転ダンパー２８に伝達され、この回動速度が減速される。また、上アーム用リベット２５は、上アーム軸支用孔２３４、及び、外側側板２１の上アーム用リベット２５が挿入される孔(図示せず)に軸支され自由に回動する。このように回転ダンパー２８を設けることにより、所定の上方位置における係止状態が解除された際、重力の作用により下側棚６０、上側棚６２、上アーム３及び下アーム４が所定の下方位置まで落下するような勢いで回動するといった不具合を回避し、これらを自動的に(重力を利用して)ゆっくり降ろすことができる。これにより、利用者は、下側棚６０や上側棚６２などを支えながら降ろす必要がなくなるので、係止状態を解除するワンタッチ操作で、下側棚６０や上側棚６２などを降ろすことができる。
また、カラー３３は、フッ素樹脂などの摩擦抵抗の小さい材料からなる円筒部材であり、これを設けることにより、ストッパーラッチ用アーム５のストッパーラッチ５１がスムースに係止できる。
【００２５】
下アーム用リベット２６は、下アーム軸支用孔２３５、引張りばね５７の一方の係止リング、下アーム４の矩形孔４２、及び、外側側板２１の下アーム用リベット２６が挿入される孔(図示せず)に挿入され、外側側板２１から突き出た先端部がかしめられる。この下アーム用リベット２６は、下アーム４に係止された状態で挿入され、また、下アーム軸支用孔２３５、及び、外側側板２１の下アーム用リベット２６が挿入される孔(図示せず)に軸支され自由に回動する。また、上アーム３及び下アーム４は、外側側板２１と当接する位置に取り付けられる。
【００２６】
ストッパー用リベット２４は、ストッパーリベット用孔２３６、及び、外側側板２１のストッパー用リベット２４が挿入される孔(図示せず)に挿入され、外側側板２１から突き出た先端部がかしめられる。このストッパー用リベット２４は、上アーム３が所定の下方位置の方向に回動してくると、上アーム３の上部と当接する。すなわち、ストッパー用リベット２４は、上アーム３などの所定の下方位置を位置決めする。
また、この所定の下方位置は、上アーム３が真下を向く位置から、手前側に微小角度だけ傾いた位置としてある。このようにすると、下側棚６０や上側棚６２の自重により、所定の下方位置における下側棚６０及び上側棚６２を安定させることができる。
【００２７】
＜基部カバー＞  
基部カバー７は、側板７１、正面板７５、背面板７７及び底板７８を有する樹脂製のカバーであり、押出成形などによって一体的に形成される。
側板７１は、背面側に、連結棒６５が回動自在に挿入される、上記連結棒用開口部２３２とほぼ同じ形状の連結棒用開口部７２が形成されている。また、連結棒用開口部７２の上方を覆うように、側板７１の基部２側の面から、上方カバー７３が突設されている。さらに、側板７１の基部２側の面から、係止孔２３１に係入される係止部７４が突設されている。正面板７５は、取り付けられた際、外側側板２１に到達する幅寸法としてあり、さらに、上アーム３、下アーム４及びストッパーラッチ用アーム５を回動させるためのアーム用切欠７６が形成されている。また、底板７８は、上アーム３、下アーム４及びストッパーラッチ用アーム５を回動させることが可能な幅寸法としてある。さらに、基部カバー７は、右側の基部２及び左側の基部２に共用できるように、正面側と背面側とが対称な形状としてある。
【００２８】
＜取付けステー＞
取付けステー８は、直角に折り曲げられた金属板であり、固定板８３及び連結板８１とからなっている。
連結板８１は、基部２のＴ字切欠２２１に対応する位置に雌ねじ８２が切られており、ねじ８５が締め込まれる。また、固定板８３は、四隅に木ねじ用孔８４が形成されており、蛍光灯ボックス１２の側板に木ねじ（図示せず）によって螺着される。
なお、取付けステー８の形状は、上記形状に限定されるものではなく、たとえば、取付け位置などに応じて様々な形状としてもよい。
【００２９】
＜上アーム＞
上アーム３は、金属性の細長い板であり、基部２側の端部に矩形孔３１が形成され、下側棚６０側の先端部に段付きリベット用孔３２が形成されている。また、上アーム３は、下側棚６０の幅寸法（正面側から背面側への寸法）より長い寸法としてあり、本実施形態では、下側棚６０の幅寸法のほぼ二倍の長さとしてある。
【００３０】
＜下アーム＞
下アーム４は、上アーム３とほぼ同じ長さを有する金属性の細長い板であり、基部２側の先端部の二箇所にビス用孔４１が形成され、基部２側の端部に矩形孔４２が形成され、下側棚６０側の先端部に段付きリベット用孔４４が形成されている。さらに、下アーム４は、所定の上方位置に位置する際、上アーム用リベット２５のほぼ真下となる位置に、段付きリベット５８が挿入される段付きリベット固定用孔４３が形成されている。
【００３１】
＜ストッパーラッチ用アーム＞
ストッパーラッチ用アーム５は、下側棚６０側の端部が約５０°の角度で曲っている金属性の細長い板であり、基部２側の先端部に引張りばね５７の他方の係止リングが係止される引張りばね用係止部５３が突設され、下アーム４の段付きリベット固定用孔４３に対応する位置に、長手方向に沿って長孔５２が形成されている。また、ストッパーラッチ用アーム５は、長孔５２の付近に、カラー３３と当接する円弧形状を有し、カラー３３を係止するストッパーラッチ５１が形成されている。さらに、下アーム４の段付きリベット用孔４４と対応する位置に、長手方向に沿って長孔５４が形成されている。また、ストッパーラッチ用アーム５は、長孔５４の付近から約５０°の角度で曲っているハンドル用屈曲部５５を有しており、ハンドル用屈曲部５５の先端部の二箇所に、ハンドル６４を固定するためのビス用孔５６が形成されている。
なお、ハンドル用屈曲部５５は、所定の上方位置において、正面側斜め下方に向かって屈曲している。
【００３２】
ここで、好ましくは、ストッパーラッチ用アーム５の幅寸法を、下アーム４の幅寸法と同じにし、さらに、後述するように、ストッパーラッチ用アーム５を下アーム４に重ね合わせるように設けるとよい。このようにすると、下アーム４とストッパーラッチ用アーム５がほぼ一体的に見えるので、外観的にスマートであり、機能美を発揮するといった効果をも有する。
【００３３】
下側棚側板６１は、下側棚６０の断面形状にほぼ対応する形状の金属性の細長い板であり、両端部に下側棚６０を固定するためのビス用孔６１１が形成されている。また、下アーム４の段付きリベット用孔４４に対応する位置に、段付きリベット用孔６１２が形成され、さらに、上アーム３の段付きリベット用孔３２に対応する位置に、段付きリベット用孔６１３が形成されている。また、段付きリベット用孔６１３の下方には、上側棚６２を開き方向に回動した際、上側棚側板６３の係止端部６３３と当接する係止端部６１４が形成されている。
【００３４】
上側棚側板６３は、上側棚６２の断面形状にほぼ対応する形状の金属性の細長い板であり、両端部に上側棚６２を固定するためのビス用孔６３１が形成されている。また、上アーム３の段付きリベット用孔３２に対応する位置に、段付きリベット用孔６３２が形成されている。また、段付きリベット用孔６３２の上方には、上側棚６２を開き方向に回動した際、下側棚側板６１の係止端部６１４と当接する係止端部６３３が形成されている。
なお、上アーム３、下アーム４、ストッパーラッチ用アーム５、下側棚側板６１及び上側棚側板６３は、プレス成形などにより一体的に形成される。
【００３５】
引張りばね５７は、両端に係止リングを有しており、一方の係止リングは下アーム用リベット２６に係止され、他方の係止リングは引張りばね用係止部５３に係止され、ストッパーラッチ用アーム５を基部２の方向に付勢する。
また、段付きリベット５８は、座金５９、ストッパーラッチ用アーム５の長孔５２、座金５９、及び、下アーム４の段付きリベット固定用孔４３に挿入され、下アーム４より突き出た端部が、ストッパーラッチ用アーム５がスライド自在となる状態でかしめられる。
さらに、段付きリベット４５は、下アーム４の段付きリベット用孔４４、座金４６、ストッパーラッチ用アーム５の長孔５４、及び、下側棚側板６１の段付きリベット用孔６１２に挿入され、下側棚側板６１より突き出た端部が、ストッパーラッチ用アーム５がスライド自在となる状態でかしめられる。
また、段付きリベット３４は、上アーム３の段付きリベット用孔３２、座金３５、下側棚側板６１の段付きリベット用孔６１３、座金３５、及び、上側棚側板６３の段付きリベット用孔６３２に挿入され、上側棚側板６３より突き出た端部が、上側棚側板６３が回動自在となる状態でかしめられる。
【００３６】
＜下側棚＞  
下側棚６０は、金属や樹脂などの剛体からなる細長い矩形板としてあり、ビス用孔６１１に対応する位置に孔（図示せず）が形成されている。この孔にビス６０１が締め込まれ、下側棚側板６１に螺着される。
【００３７】
＜上側棚＞  
回動棚としての上側棚６２は、金属や樹脂などの剛体からなる細長い矩形板としてあり、ビス用孔６３１に対応する位置に孔（図示せず）が形成されている。この孔にビス６２１が締め込まれ、上側棚側板６３に螺着される。
また、好ましくは、下側棚６０及び上側棚６２として、押出成形されたアルミ板を用いるとよい。このようにすると、このアルミ板には、ビス止めする際に利用する貫通孔が形成されているので、棚の切断長さを変更することにより、様々な間口の吊戸棚１１に容易に対応することができる。
【００３８】
＜連結棒＞
連結棒６５は、通常、押出成形されたアルミ棒が用いられ、図示してないが、ビスが締め込まれる貫通孔が形成されている。このようにすると、連結棒６５の切断長さを変更することにより、様々な間口の吊戸棚１１に容易に対応することができる。
また、この連結棒６５は、上述したように、基部カバー７の連結棒用開口部７２及び基部２の連結棒用開口部２３２に挿入された状態で、下アーム４に螺着される。これにより、収納棚１の全体的な機械的強度を向上させるとともに、回動動作をスムースに行うことができる。
【００３９】
＜ハンドル＞
ハンドル６４は、通常、押出成形されたアルミ棒が用いられ、図示してないが、ビス６４１が締め込まれる貫通孔が形成されている。このようにすると、ハンドル６４の切断長さを変更することにより、様々な間口の吊戸棚１１に対応することができる。
また、このハンドル６４は、上述したように、一対のストッパーラッチ用アーム５のハンドル用屈曲部５５に螺着される。これにより、利用者の近くにハンドル６４を設けることができるので、使い易さを向上させることができる。また、このハンドル６４を布巾掛けとしても利用することができ、商品の付加価値を向上させることができる。
なお、上記説明は、図４に示す収納棚１の右側の部分について説明してあるが、収納棚１の左側の部分は、右側の部分と鏡像関係を有する構成としてある。
【００４０】
上記構成の収納棚１は、基部２、上アーム３、下アーム４及び下側棚６０が、一対の対向するリンク機構を構成しており、上アーム３、下アーム４、ストッパーラッチ用アーム５、下側棚６０及び上側棚６２などが、所定の上方位置と所定の下方位置との間を回動する。
また、係止手段としてのストッパーラッチ用アーム５は、基部２の方向に付勢された状態で、かつ、下アーム４の長手方向にスライド自在に、下アーム４に取り付けられている。また、ストッパーラッチ５１が、所定の上方位置において、基部２と上アーム３を連結する上アーム用リベット２５のカラー３３を係止し、上アーム用リベット２５に対する下アーム４の距離を規定する。これにより、上アーム３、下アーム４、ストッパーラッチ用アーム５、下側棚６０及び上側棚６２などを所定の上方位置に留めることができる。また、ハンドル６４を手前に引くと、ストッパーラッチ用アーム５が手前に移動し、ストッパーラッチ５１による係止状態が容易に解除される。また、通常、所定の上方位置におけるストッパーラッチ用アーム５は、ほぼ水平状態にあり、解除する動作がハンドル６４を正面方向(利用者側)に引っ張るといった動作となり、誤って押してしまうことにより解除されるといった危険性を低減することができる。さらに、被取付け体である蛍光灯ボックス１２に、磁石などの係止手段を取り付ける必要がないので、取付け性を向上させることができる。
【００４１】
次に、収納棚１の動作などを図面を参照して説明する。
図５は、本発明の一実施形態にかかる収納棚の収納状態を説明するための概略断面図を示している。
図５において、収納棚１は、基部２が、取付けステー８を介して蛍光灯ボックス１２の側板の背面側端部に取り付けられている（図３参照）。また、上側棚６２が下側棚６０に重ねられた状態のまま、ハンドル６４が利用者によって所定の上方位置の方向に持ち上げられるように回動されることによって、上アーム３、下アーム４及びストッパーラッチ用アーム５がほぼ水平状態となっている。そして、引張りばね５７によって付勢されたストッパーラッチ用アーム５は、ストッパーラッチ５１が、上アーム用リベット２５に挿入されたカラー３３を係止し、上アーム用リベット２５に対する下アーム４の距離を規定している。これにより、上アーム３及び下アーム４は、リンク機構として機能することができなくなるので、上アーム３、下アーム４、ストッパーラッチ用アーム５、下側棚６０及び上側棚６２などは、所定の上方位置に留まる（所定の上方位置で停止する）。
【００４２】
また、収納棚１は、蛍光灯収納スペース１２３に、ほぼ全体が収まるので、利用者の視線を遮るといった不具合を回避することができる。さらに、上側棚６２が折り重ねられた状態で、所定の上方位置(収納位置)に収納されるので、基部２と下側棚６０及び上側棚６２との間に、下方が開放された大きな空きスペースを確保することができる。したがって、この空きスペースに蛍光灯１２１を位置させることができ、また、下方が開放されているので、蛍光灯１２１の光を遮るといった不具合をより確実に回避できる。さらに、上記の大きな空きスペースを確保することにより、被取付け体である蛍光灯ボックス１２の構造の自由度が増大し、様々な構造の被取付け体に容易に取り付けることができる。
【００４３】
図６は、本発明の一実施形態にかかる収納棚の収納が解除された状態を説明するための概略断面図を示している。
図６において、利用者（図示せず）が、ハンドル６４を手前方向（正面側方向）に引っ張ると、ストッパーラッチ用アーム５が正面側に移動し、ストッパーラッチ５１がカラー３３の係止を解除する。係止が解除されると、下側棚６０や上側棚６２などの自重によって、上アーム３や下アーム４などが所定の下方位置に回動する。この回動速度は、回転ダンパー２８によって適度な速度に減速されるので、勢いよく落下するように回動するといった不具合を回避し、利用者に安心感を与えることができる。
【００４４】
図７は、本発明の一実施形態にかかる収納棚のアームが下方に回動した状態を説明するための概略断面図を示している。
また、図８は、本発明の一実施形態にかかる、アームが下方に回動した状態の収納棚の概略斜視図を示している。
図７，８において、所定の下方位置の方向にゆっくり回動してきた上アーム３及び下アーム４は、上アーム３の先端部が、ストッパー用リベット２４と当接することによって、回動を停止する。また、この回動を停止した位置が、所定の下方位置である。
次に、利用者は、上側棚６２の背面側の端部を掴み、正面側に回動させる（図２参照）。これにより、下側棚６０と上側棚６２を利用することができるので、十分広い棚面積を確保することができる。
また、収納棚１の利用が終了し、収納棚１を収納する際、利用者は、上記手順を戻ることにより、収納棚１を蛍光灯ボックス１２に収納させることができる。
【００４５】
以上説明したように、本実施形態の収納棚１は、上側棚６２が折り重ねられた状態で、所定の上方位置に収納されるので、下側棚６０や上側棚６２と基部２との間に大きな空きスペースを確保することができる。この空きスペースを利用して、蛍光灯１２１の位置を避けることができるので、蛍光灯１２１の光を遮るといった不具合をより確実に回避できる。さらに、大きな空きスペースを確保することにより、蛍光灯ボックス１２の構造の自由度が増大し、様々な構造の蛍光灯ボックス１２に容易に取り付けることができる。
また、ストッパーラッチ用アーム５を用いた係止手段を設けることにより、操作性や取付け性などを向上させることができる。また、下側棚６０や上側棚６２として、遮光性の板材や水切り用の金網などを用いることができるので、多目的に利用することができる。
さらに、収納棚１は、吊戸棚１１の蛍光灯ボックス１２の蛍光灯収納スペース１２３を利用して設置することができる。また、吊戸棚１１が対面型キッチン１３に設けられているので、使用後の下側棚６０や上側棚６２がそのまま放置されるといった不具合を回避でき、対面型キッチン１３の効果を発揮することができる。
【００４６】
本発明の収納棚について、好ましい実施形態を示して説明したが、本発明は、上述した実施形態にのみ限定されるものではなく、本発明の範囲で種々の変更実施が可能であることは言うまでもない。
たとえば、上記実施形態では、拡幅可能な棚として、下側棚６０及び回動棚としての上側棚６２を用いたが、この棚に限定されるものではなく、たとえば、図示してないが、スライド式の棚などを用いてもよい。
また、図示してないが、棚の少なくとも一部、例えば、上側棚６２を水切り用棚としてもよい。このようにすると、下側棚６０及び上側棚６２を多目的に利用することができ、商品としての付加価値を向上させることができる。
【図面の簡単な説明】
【００４７】
【図１】本発明の一実施形態にかかる収納棚の使用状態を説明する概略斜視図を示している。
【図２】本発明の一実施形態にかかる、使用状態の収納棚の概略斜視図を示している。
【図３】本発明の一実施形態にかかる、収納状態の収納棚の概略斜視図を示している。
【図４】本発明の一実施形態にかかる収納棚の構造を説明するための、要部の概略分解斜視図を示している。
【図５】本発明の一実施形態にかかる収納棚の収納状態を説明するための概略断面図を示している。
【図６】本発明の一実施形態にかかる収納棚の収納が解除された状態を説明するための概略断面図を示している。
【図７】本発明の一実施形態にかかる収納棚のアームが下方に回動した状態を説明するための概略断面図を示している。
【図８】本発明の一実施形態にかかる、アームが下方に回動した状態の収納棚の概略斜視図を示している。
【図９】従来例にかかる水切り棚装置の要部の概略断面図を示している。
【符号の説明】
【００４８】
１  収納棚  
２  基部
３  上アーム
４  下アーム
５  ストッパーラッチ用アーム
７  基部カバー
８  取付けステー
１１  吊戸棚
１２  蛍光灯ボックス
１３  対面型キッチン
２１  外側側板
２２  上板
２３  内側側板
２４  ストッパー用リベット
２５  上アーム用リベット
２６  下アーム用リベット
２７  ねじ
２８  回転ダンパー
３１  矩形孔
３２  段付きリベット用孔
３３  カラー
３４  段付きリベット
３５  座金
４１  ビス用孔
４２  矩形孔
４３  段付きリベット固定用孔
４４  段付きリベット用孔
４５  段付きリベット
４６  座金
５１  ストッパーラッチ
５２  長孔
５３  引張りばね用係止部
５４  長孔
５５  ハンドル用屈曲部
５６  ビス用孔
５７  引張りばね
５８  段付きリベット
５９  座金
６０  下側棚
６１  下側棚側板
６２  上側棚
６３  上側棚側板
６４  ハンドル
６５  連結棒
７１  側板
７２  連結棒用開口部
７３  上方カバー
７４  係止部
７５  正面板
７６  アーム用切欠
７７  背面板
７８  底板
８１  連結板
８２  雌ねじ
８３  固定板
８４  木ねじ用孔
８５  ねじ
１００  水切り棚装置
１０１  取付け基材
１０２  上側昇降リンク
１０３  下側昇降リンク
１０４  水切り用棚
１１１  扉
１２１  蛍光灯
１２２  蛍光灯収納スペース
１２３  蛍光灯収納スペース
２１１  ビス締め用開口部
２２１  Ｔ字切欠
２２２  貫通孔
２３１  係止孔
２３２  連結棒用開口部
２３３  雌ねじ
２３４  上アーム軸支用孔
２３５  下アーム軸支用孔
２３６  ストッパーリベット用孔
６０１  ビス
６１１  ビス用孔
６１２  段付きリベット用孔
６１３  段付きリベット用孔
６１４  係止端部
６２１  ビス
６３１  ビス用孔
６３２  段付きリベット用孔
６３３  係止端部
６４１  ビス
【図１】
2008206535.tif 000003
【図２】
2008206535.tif 000004
【図３】
2008206535.tif 000005
【図４】
2008206535.tif 000006
【図５】
2008206535.tif 000007
【図６】
2008206535.tif 000008
【図７】
2008206535.tif 000009
【図８】
2008206535.tif 000010
【図９】
2008206535.tif 000011